(57)【特許請求の範囲】
【請求項１】
折り返し可能な折返線を介して連成された同一形状の第一紙片部と第二紙片部とを備え、該第一紙片部は、互いの背面同士が貼り合わされた第一上紙部と第一下紙部とから構成され、該第二紙片部は、互いの背面同士が貼り合わされた、前記折返線を介して第一上紙部に連成された第二上紙部と該折返線を介して第一下紙部に連成された第二下紙部とから構成されるものであって、
第一紙片部の第一上紙部は、切断線により囲繞された、表面に所定の明細情報を印字可能な明細票部と、該明細票部を囲むように設けられた、該明細票部と分離可能な剥脱部と、該剥脱部の背面に形成された剥離層とを備え、
第一下紙部は、切断線により囲繞された、前記明細票部を覆うように設けられた介装部と、該介装部を囲むように形成された、該介装部と分離可能な接着保持部と、該接着保持部の背面に形成された、前記剥脱部の剥離層と剥離可能に接着される接着剤層とを備え、
さらに、前記明細票部と介装部との少なくとも一方の背面には、両者を剥離可能又は剥離不能に接着させる貼着層とを備えてなり、
第二紙片部の第二上紙部は、切断線により囲繞された、表面に所定の配送情報を印字可能な配送票部と、該配送票部を囲むように形成された、該配送票部を分離可能な表枠部と、該表枠部の背面に形成された接着剤層とを備え、該配送票部が、第一下紙部と第二下紙部とを対向するように前記折返線で折り返された場合に、前記第一紙片部の明細票部と介装部とを覆うように設けられてなり、
第二下紙部は、その全体または一部が、第二上紙部の表枠部に貼り付けられる除脱部として構成され、該除脱部の背面に形成された、前記表枠部の接着剤層と剥離可能に接着される剥離層とを備えてなり、
前記除脱部が取り除かれて前記折返線で折り返されて、前記表枠部の接着剤層が第一下紙部の接着保持部と接着された状態で、第一上紙部の明細票部と第二上紙部の配送票部との間に、少なくとも第一下紙部の介装部が介在されるものであることを特徴とする配送用帳票。
【請求項２】
第二下紙部は、
第二上紙部の配送票部により覆われ、且つ折返線で折り返された場合に第一紙片部の介装部を覆うように設けられた、切断線により囲繞された被覆部と、
該被覆部を囲むように設けられた、該被覆部と分離可能な前記除脱部と
を備え、
前記被覆部と配送票部との少なくとも一方の背面に、両者を剥離可能に接着させる接着剤層が形成されてなるものであることを特徴とする請求項１に記載の配送用帳票。
【請求項３】
第二下紙部は、
被覆部を囲むように該被覆部と除脱部との間に設けられた、該被覆部を囲繞する切断線を介して該被覆部と区画された帯状枠部と、
該帯状枠部を囲繞するように形成された、該帯状枠部と除脱部とを区画する切断線と
を備え、
該帯状枠部の背面が、第二上紙部の表枠部の接着剤層に接着されるものであることを特徴とする請求項２に記載の配送用帳票。
【請求項４】
第一上紙部は、
明細票部を囲むように該明細票部と剥脱部との間に設けられた、該明細票部を囲繞する切断線を介して該明細票部と区画された明細外枠部と、
該明細外枠部を囲繞するように形成された、該明細外枠部と剥脱部とを区画する切断線と
を備え、
該明細外枠部が、第一下紙部の接着保持部の接着剤層に接着されるものであることを特徴とする請求項１乃至請求項３のいずれか１項に記載の配送用帳票。
【発明の詳細な説明】
【技術分野】
【０００１】
本発明は、商品などの配送に用いられる配送用帳票に関する。
【背景技術】
【０００２】
商品などを配送する際には、配送する商品の明細を記載する明細票、配送する宛先を記入した送先票、受け取り証明等を受ける配達証などの複数の紙票が使用される。ここで、送先票や配達証は、商品を梱包した外装に貼付されるが、明細票は、その内容を外部から視認不能とするように、商品と一緒に梱包されたり、特定の封筒などに封入して外装に貼付される。このように配送品（商品を梱包した状態の品物）への取り付け形態が異なる複数の紙票は、夫々別体で作成される場合があるが、この場合、各紙票に記載した情報を突き合わせて確認するマッチング作業が必要となる。しかし、このマッチング作業を実施する場合には、発送にかかる作業負担が増大すると共に、マッチングミスの発生が懸念される。こうしたマッチング作業により生ずる問題を解決できる構成として、例えば、ミシン目やハーフカット線等の切断線で囲まれた送先票や配達証などが設けられた上紙と、該切断線で囲まれた明細票などが設けられた下紙とを、剥離可能に貼り合わせた構成が提案されている（例えば、特許文献１）。かかる従来構成は、上紙の送先票や配達証と下紙の明細票とが一体化されており、両面プリントにより所定情報を印字することができるため、前記マッチング作業を必要とせず、該マッチング作業による前記問題を生じない。さらに、かかる従来構成は、下紙の、明細票等の紙票を除く部位を除去することで、上紙の背面に形成された接着剤層を露出させ、該接着剤層によって、商品を梱包した配送品の外装に貼付される。この貼付された状態では、下紙の明細票等が上紙の背面側に配されることから、該明細票の内容を外部から視認不能となる。また、かかる従来構成は、表裏に、送先票、配達証、および明細票などの各紙票を適宜配置した構成であることから、平面サイズ（全体の面積）を比較的コンパクトにできるという利点もある。
【先行技術文献】
【特許文献】
【０００３】
【特許文献１】実用新案登録第３１１２４２３号公報
【発明の概要】
【発明が解決しようとする課題】
【０００４】
ところで、上述した従来構成は、表側の上紙に送先票や配達証などを備え、裏側の下紙に明細票などを備える構成であることから、これら各紙票に所望の情報を印字する場合に、両面プリントが利用される。しかし、この両面プリントは、片面プリントに比して、プリント時間が長く且つプリントコストが高いという問題がある。さらに、両面プリント可能なプリンタ（例えば、レーザープリンタなど）では、片面プリントに比して、両面プリントによる消耗が激しい。そのため、両面プリントは、プリンタの耐久寿命を低減してしまうという問題もある。
【０００５】
また、上述した従来構成は、明細票の背面に送先票や配達票などが直接貼り付けられている構成であることから、該送先票や配達証が取り除かれると、該明細票の背面が露出する。このように明細票の背面が露出すると、該背面から、明細票の表面に記載された内容（商品明細などの明細情報）が透けて見えてしまい易い。そのため、配送品を送り先に届けた際に、運送業者により配達証などが取り除かれることで明細票の背面が露出すると、該運送業者に明細票の内容を知られてしまう虞があった。このように従来構成では、明細票に記載された明細情報の秘匿性に限界があることから、さらなる秘匿性の向上が求められていた。
【０００６】
本発明は、上述した両面プリントによる問題を解決すると共に、明細情報の秘匿性を向上し得る配達用帳票を提案するものである。
【課題を解決するための手段】
【０００７】
本発明は、折り返し可能な折返線を介して連成された同一形状の第一紙片部と第二紙片部とを備え、該第一紙片部は、互いの背面同士が貼り合わされた第一上紙部と第一下紙部とから構成され、該第二紙片部は、互いの背面同士が貼り合わされた、前記折返線を介して第一上紙部に連成された第二上紙部と該折返線を介して第一下紙部に連成された第二下紙部とから構成されるものであって、第一紙片部の第一上紙部は、切断線により囲繞された、表面に所定の明細情報を印字可能な明細票部と、該明細票部を囲むように設けられた、該明細票部と分離可能な剥脱部と、該剥脱部の背面に形成された剥離層とを備え、第一下紙部は、切断線により囲繞された、前記明細票部を覆うように設けられた介装部と、該介装部を囲むように形成された、該介装部と分離可能な接着保持部と、該接着保持部の背面に形成された、前記剥脱部の剥離層と剥離可能に接着される接着剤層とを備え、さらに、前記明細票部と介装部との少なくとも一方の背面には、両者を剥離可能又は剥離不能に接着させる貼着層とを備えてなり、第二紙片部の第二上紙部は、切断線により囲繞された、表面に所定の配送情報を印字可能な配送票部と、該配送票部を囲むように形成された、該配送票部を分離可能な表枠部と、該表枠部の背面に形成された接着剤層とを備え、該配送票部が、第一下紙部と第二下紙部とを対向するように前記折返線で折り返された場合に、前記第一紙片部の明細票部と介装部とを覆うように設けられてなり、第二下紙部は、その全体または一部が、第二上紙部の表枠部に貼り付けられる除脱部として構成され、該除脱部の背面に形成された、前記表枠部の接着剤層と剥離可能に接着される剥離層とを備えてなり、前記除脱部が取り除かれて前記折返線で折り返されて、前記表枠部の接着剤層が第一下紙部の接着保持部と接着された状態で、第一上紙部の明細票部と第二上紙部の配送票部との間に、少なくとも第一下紙部の介装部が介在されるものであることを特徴とする配送用帳票である。
【０００８】
ここで、第二下紙部の全体を除脱部とした場合には、第二下紙部（除脱部）が取り除かれて、第一下紙部と第二下紙部とを対向するように前記折返線で折り返されることにより、第二上紙部の表枠部がその接着剤層により第一下紙部の接着保持部に接着される。一方、第二下紙部の一部分を除脱部とした場合には、該除脱部が、該除脱部以外の部位と分離可能とするものである。また、折返線は、第一上紙部と第二上紙部とを切断可能とし、かつ第一下紙部と第二下紙部とを切断可能とする構成が好適である。
【０００９】
かかる構成にあっては、除脱部が取り除かれて、折返線で折り返されることにより、第二上紙部の表枠部と第一下紙部の接着保持部とが接着された状態（以下、配送準備状態という）となり、さらに、この配送準備状態で、第一上紙部の剥脱部が取り除かれることにより、第一下紙部の接着保持部の接着剤層が露出されて、当該接着剤層を配送品（商品を梱包した状態の品物）に貼付される。こうして配送品に貼付された状態では、明細票部が隠蔽されることから、該明細票部に記載された明細情報の秘匿性が保たれる。こうした本構成は、前記のように折返線で折り返される前の状態（以下、初期状態という）で、配送に必要な情報（配送する商品毎に異なる情報）を印字する配送票部と明細票部とが同一面上にあることから、片面プリントにより該配送票部と明細票部とに夫々の情報を印字することができる。そのため、上述した従来構成のように両面プリントを要せず、該両面プリントによる問題を生じない。
【００１０】
さらに、本構成は、上記のように配送品に貼付された状態で、明細票部が介装部と配送票部とにより覆われることから、該配送品を送り先に届けた際に配送票部が取り除かれても、明細票部が介装部により覆われたままであることから、該介装部により明細票部の明細情報が背面側（外部）から透けて見えてしまうことを防止できる。すなわち、本構成によれば、配送票部が取り除かれた状態でも、明細票部に記載された明細情報の秘匿性を安定かつ確実に保ち得る。また、こうした介装部により明細情報の秘匿性を保ち得ることによって、例えば、第一紙基材と第二紙基材とを構成する紙材に、紙厚の薄いものを使用可能となることから、配送準備状態とした場合における厚みを薄くすることができ、その取扱性を向上できる。また、薄厚の紙材を使用することで、該紙材のコストを低減することもできる。
【００１１】
さらにまた、本構成は、配送準備状態に形態変化されることにより、その平面サイズが半分になり、全体の平面サイズがコンパクトになることから、発送作業の際に取扱性に優れるという利点も有する。
【００１２】
尚、本構成にあって、介装部は、その表面に、広告や案内などの予め定まった定型情報を印刷した構成とすることもできる。ここで、介装部の表面は、送り先で配送票部が取り除かれた状態で露出することから、受取人などが前記定型情報を知得できる。そのため、受取人に知らせる内容を、前記定型情報とすることで、介装部を有効活用することできる。ここで、定型情報は、前記のように広告や案内などのように予め定まった情報であり、配送する商品や送り先に関係無く定められていることから、本構成の製造工程で印刷される。そのため、定型情報は、商品や送り先に応じてプリントされる配送票部や明細票部の情報と、全く異なるものである。
【００１３】
上述した本発明の配送用帳票にあって、第二下紙部は、第二上紙部の配送票部により覆われ、且つ折返線で折り返された場合に第一紙片部の介装部を覆うように設けられた、切断線により囲繞された被覆部と、該被覆部を囲むように設けられた、該被覆部と分離可能な前記除脱部とを備え、前記被覆部と配送票部との少なくとも一方の背面に、両者を剥離可能に接着させる接着剤層が形成されてなるものである構成が提案される。
【００１４】
かかる構成にあっては、上記の配送準備状態で、配送票部と明細票部との間に介装部と被覆部とが介在することから、配送品を送り先に届けた際に配送票部が切り取られた場合に、明細票部が介装部と被覆部とにより覆われている。そのため、明細票部の明細情報の秘匿性を一層向上できる。また、紙材を一層薄くできるため、取扱性を一層向上でき、且つコストを一層低減できる。
【００１５】
また、本構成にあって、被覆部は、その表面および／または背面に、上記した定型情報を印刷した構成とすることもできる。すなわち、本構成では、介装部と被覆部とに定型情報を印刷したものとできるため、一層多く情報を送り先に提供することが可能である。
【００１６】
上述した本発明の配送用帳票にあって、第二下紙部は、被覆部を囲むように該被覆部と除脱部との間に設けられた、該被覆部を囲繞する切断線を介して該被覆部と区画された帯状枠部と、該帯状枠部を囲繞するように形成された、該帯状枠部と除脱部とを区画する切断線とを備え、該帯状枠部の背面が、第二上紙部の表枠部の接着剤層に接着されるものである構成が提案される。
【００１７】
かかる構成にあっては、配送票部が取り除かれる際に、被覆部が帯状枠部を介して表枠部に安定して保持されることから、該配送票部のみを比較的容易かつ確実に切り取ることができる。これにより、配送票部が取り除かれた状態で、被覆部が介装部と共に明細票部を被覆したまま安定して保持されることから、該明細票部の明細情報の秘匿性が安定して発揮され得る。また、配送票部が取り除かれた場合に、被覆部の背面が露出するため、当該背面に上記の定型情報が印刷された構成とすることにより該定型情報の報知効果が一層向上する。
【００１８】
上述した本発明の配送用帳票にあって、第一上紙部は、明細票部を囲むように該明細票部と剥脱部との間に設けられた、該明細票部を囲繞する切断線を介して該明細票部と区画された明細外枠部と、該明細外枠部を囲繞するように形成された、該明細外枠部と剥脱部とを区画する切断線とを備え、該明細外枠部が、第一下紙部の接着保持部の接着剤層に接着されるものである構成が提案される。
【００１９】
かかる構成にあっては、剥脱部が取り除かれて配送品に貼付された状態で、明細票部が第二下紙部の接着保持部に安定して保持されることから、送り先で、介装部と明細票部とを別々に切り取ることができる。そのため、送り先で、配送票部、介装部、明細票部を順次安定して切り取ることができる。また、上記した定型情報を、介装部の表面と背面とに印刷することができるため、一層多くの定型情報を送り先に提供できる。
【発明の効果】
【００２０】
本発明の配送用帳票によれば、配送に必要な情報を配送票部と明細票部とに片面プリントにより夫々印字できることから、上述した従来構成のように両面プリントによる問題を生じない。また、上述した配送準備状態で、第一上紙部の剥脱部が取り除かれて配送品に貼付されると、明細票部が隠蔽されることから、該明細票部の明細情報の秘匿性を保つことができる。さらに、送り先で配送票部が取り除かれた場合でも、介装部が明細票部を被覆していることから、明細情報が透けて見えてしまうことを防止でき、該明細情報の秘匿性が向上する。
【図面の簡単な説明】
【００２１】
【図１】実施例１の配送用帳票１の、（ａ）上面図と（ｂ）下面図である。
【図２】実施例１の、（ａ）上紙２の背面図と、（ｂ）下紙３の背面図である。
【図３】配送用帳票１の、上紙２側からみた分解斜視図である。
【図４】配送用帳票１の、下紙３側からみた分解斜視図である。
【図５】配送用帳票１を、初期状態から配送準備状態へ変化する過程を示す説明図である。
【図６】配送用帳票１の配送準備状態を示す、（ａ）表面図と（ｂ）裏面図である。
【図７】図６中のＬ−Ｌ線断面を示す説明図である。
【図８】配送用帳票１を、配送品１０１に貼付する使用態様を示す説明図である。
【図９】配送票部３１と明細票部２５とを順次切り取る過程を示す説明図である。
【図１０】実施例２の配送用帳票６１の、（ａ）上面図と（ｂ）下面図である。
【図１１】実施例２の、（ａ）上紙２の背面図と、（ｂ）下紙３の背面図である。
【図１２】配送用帳票６１の、上紙２側からみた分解斜視図である。
【図１３】配送用帳票６１の、下紙３側からみた分解斜視図である。
【図１４】配送用帳票６１を、初期状態から配送準備状態へ変化する過程を示す説明図である。
【図１５】配送用帳票６１の配送準備状態を示す、（ａ）表面図と（ｂ）裏面図である。
【図１６】図１５中のＭ−Ｍ線断面を示す説明図である。
【図１７】配送用帳票６１を、配送品１０１に貼付する使用態様を示す説明図である。
【図１８】配送票部３１と被覆部８１とを順次切り取る過程を示す説明図である。
【図１９】図１８から続く、介装部７３と明細票部２５とを順次切り取る過程を示す説明図である。
【図２０】別例の配送用帳票９１の、上紙２側からみた分解斜視図である。
【図２１】別例の配送用帳票９１の配送準備状態における縦断面図である。
【発明を実施するための形態】
【００２２】
本発明にかかる実施形態を、以下の実施例１，２に従って説明する。ここで、本実施例１，２の配送用帳票１，６１にあって、上紙２側の面を（上紙２の表面）を上面とし、下紙３側の面（下紙３の表面）を下面として説明する。
【実施例１】
【００２３】
実施例１の配送用帳票１は、図１のように、矩形状の第一紙片部１１と矩形状の第二紙片部１２とが、ミシン目からなる折返線１３を介して連成されてなり、該折返線１３で折り返すことにより、第一紙片部１１と第二紙片部１２とを重ね合わせることができる（図５，６参照）。ここで、第一紙片部１１と第二紙片部１２とは、同一形状に形成されている。
【００２４】
配送用帳票１は、図２，３のように、矩形状の上紙２と矩形状の下紙３との夫々の背面同士が貼り合わされて、該上紙２と下紙３とが一体化されてなるものである。そして、配送用帳票１の上面が、上紙２の表面（図１（ａ））であり、該配送用帳票１の下面が、下紙３の表面（図１（ｂ））である。ここで、上紙２と下紙３とは同一形状を成し、配送用帳票１では、該上紙２と下紙３とのいずれの背面も露出しない。また、上記した折返線１３のミシン目は、上紙２と下紙３との両方を貫通するように夫々形成されており、上記のように折り返し可能であると共に、後述する第一上紙部２１と第二上紙部２２とを切断可能とし且つ第一下紙部４１と第二下紙部４２とを切断可能とするように形成されている。
【００２５】
上紙２は、折返線１３を介して矩形状の第一上紙部２１と矩形状の第二上紙部２２とが連成され、下紙３は、該折返線１３を介して矩形状の第一下紙部４１と矩形状の第二下紙部４２とが連成されている。そして、第一上紙部２１と第一下紙部４１との互いの背面同士が貼り合わされて、上記した第一紙片部１１が構成され、第二上紙部２２と第二下紙部４２との互いの背面同士が貼り合わされて、上記した第二紙片部１２が構成されている。
【００２６】
上紙２の第一上紙部２１は、図１，３のように、ミシン目からなる切断線１８ａにより囲繞された明細票部２５と、該明細票部２５を囲む略ロ字形の剥脱部２６とから構成されており、該明細票部２５と剥脱部２６とが該切断線１８ａを介して区画されている。明細票部２５と剥脱部２６とは、切断線１８ａを切断することにより、分離可能となっている。この切断線１８ａは、第一上紙部２１と第一下紙部４１とを貫通するミシン目からなる。また、剥脱部２６の背面には、図２（ａ）のように、後述する粘着剤と剥離可能に接着される所定の離型剤を塗布してなる剥離層２８が設けられており、明細票部２５の背面には、離型剤や粘着剤などが塗布されていない。尚、明細票部２５は、その表面に、配送する商品（品物）に関する明細情報を印字する明細印字欄が設けられており、切り取られることで明細票（納品証）となる。
【００２７】
上紙２の第二上紙部２２は、図１，３のように、ハーフカット線からなる切断線１９ａにより囲繞された配送票部３１と、該配送票部３１を囲む略ロ字形の表枠部３２とから構成されており、該配送票部３１と表枠部３２とが該切断線１９ａを介して区画されている。配送票部３１と表枠部３２とは、切断線１９ａを切断することにより分離可能となっている。さらに、配送票部３１は、ハーフカット線からなる切断線１９ｂを介して送先票部３５ａと配達証部３５ｂとが連成されてなり、切断線１９ａ，１９ｂを切断することにより該送先票部３５ａと配達証部３５ｂとを分離可能である。そのため、送先票部３５ａと配達証部３５ｂとの一方のみを切り取ることもできる。こうした配送票部３１は、上記した明細票部２５よりも面積サイズが大きく、さらに、上紙２を折返線１３で折り返すことで第一上紙部２１と第二上紙部２２とを重ね合わせた場合に、該明細票部２５を覆うように設けられている。また、表枠部３２の背面には、図２（ａ）のように、強接着力を有する所定の粘着剤を塗布してなる粘着剤層３６が設けられており、配送票部３１の背面には、離型剤や粘着剤などが塗布されていない。尚、送先票部３５ａは、その表面に配送先の住所や氏名などの配送情報が印字される部位であり、切断線１９ａ，１９ｂで切り取られることによって送先票となる。配達証部３５ｂは、その表面に配達された証明（受領印など）を受ける部位であり、切断線１９ａ，１９ｂで切り取られることによって配達証となる。そして、配達証部３５ｂにも、送先票部３５ａと同様に、前記配送情報が印字される。
【００２８】
一方、下紙３の第一下紙部４１は、図１，４のように、上記の切断線１８ａにより囲繞された介装部４３と、該介装部４３を囲む略ロ字形の接着保持部４６とから構成されており、該介装部４３と接着保持部４６とが切断線１８ａを介して区画されている。介装部４３と接着保持部４６とは、切断線１８ａを切断することにより分離可能となっている。ここで、介装部４３は、第一上紙部２１の明細票部２５と同一形状からなり、さらに、第一上紙部２１と第一下紙部４１とを貼り合わせた状態で、該明細票部２５と重なり合うように設けられている。そして、上述したように、第一上紙部２１と第一下紙部４１とを貫通するように、切断線１８ａが形成される。また、第一下紙部４１の背面には、図２（ｂ）のように、その全域に、上記の粘着剤を塗布してなる粘着剤層４８が設けられている。尚、介装部４３の表面には、広告、案内、クーポンなどの定型情報が印刷されており、商品の受取人に該定型情報を知らせることができるようにしている。すなわち、本実施例１にあって、介装部４３は、定型情報を受取人に知らせる報知機能を有するものである。
【００２９】
下紙３の第二下紙部４２は、図２（ｂ）のように、その背面全域に、上記の粘着剤と剥離可能に接着される剥離剤を塗布してなる剥離層４９が設けられている。この第二下紙部４２は、上記の折返線１３を切断することにより、第一下紙部４１と分離可能である。本実施例１にあって、第二下紙部４２が、本発明にかかる除脱部である。
【００３０】
配送用帳票１は、上述したように、これら上紙２と下紙３との互いの背面同士が貼り合わされて形成されている（図３，４参照）。ここで、上紙２の第一上紙部２１と下紙３の第一下紙部４１とにあっては、第一上紙部２１の剥脱部２６と第一下紙部４１の接着保持部４６とが、該剥脱部２６の背面の剥離層２８と該接着保持部４６の背面の粘着剤層４８とにより剥離可能に接着されている。そして、第一上紙部２１の明細票部２５と第一下紙部４１の介装部４３とは、該介装部４３の背面の粘着剤層４８が明細票部２５の背面に剥離不能に接着されることで一体化されている。一方、第二上紙部２２と第二下紙部４２とにあっては、第二上紙部２２の表枠部３２と該第二下紙部４２とが、該表枠部３２の背面の粘着剤層３６と該第二下紙部４２の背面の剥離層４９とにより剥離可能に接着されている。そして、配送票部３１は、第二下紙部４２と非接着な状態で保たれる。
【００３１】
本実施例１にあって、第一下紙部４１の背面に設けられた粘着剤層４８の、介装部４３の背面部分により、本発明にかかる貼着層が構成されており、該粘着剤層４８の、接着保持部４６の背面部分により、本発明にかかる第一下紙部の接着剤層が構成されている。また、第二上紙部２２の表枠部３２の粘着剤層３６により、本発明にかかる第二上紙部の接着剤層が構成されている。
【００３２】
次に、上述した実施例１の配送用帳票１の使用方法について説明する。
配送用帳票１は、所定の製造工程により多量に製造され、該製造工程で、上紙２と下紙３には予め定められた図柄や文字などが印刷される。例えば、配送票部３１の情報記載欄や明細票部２５の明細印字欄などに、それぞれ紙票を示す事項（例えば、「送先票」、「配達証」、「明細票」という記載や、各記入欄など）が印刷される。さらに、製造工程で、介装部４３の表面に、広告等の定型情報も印刷される。
【００３３】
配送用帳票１が使用される際には、その上面の配送票部３１（送先票部３５ａ、配達証部３５ｂ）と明細票部２５とに、配送に必要な夫々の情報が印字される。具体的には、送先票部３５ａと配達証部３５ｂには、送り先の氏名や住所などの配送情報が印字され、明細票部２５には、配送する商品の明細などの明細情報が印字される。こうした配送に必要な情報（配送情報や明細情報）の印字は、配送用帳票１の上面にのみ行えば良いことから、所謂片面プリントにより実行できる。これは、図１（ａ）のように、配送用帳票１が、初期状態では平状をなし、同一面上に、配送に必要な情報を印字する部位（配送票部３１と明細票部２５）を設けていることに因る。尚、こうした配送に必要な配送情報や明細情報は、送り先と商品などの情報が決定した後に印字されるものであることから、上記した定型情報のように予め多量に印刷できるものではない。
【００３４】
配送情報や明細情報が印字された後に、図５のように、第二下紙部４２が、折返線１３で第一下紙部４１と切り離されて、第二上紙部２２から剥離されることによって、取り除かれる。これにより、第二上紙部２２の表枠部３２の粘着剤層３６と配送票部３１の背面とが露出する。この後、第二上紙部２２が、その背面を第一下紙部４１の表面と重ねるように、折返線１３で折り返される。これにより、第二上紙部２２の表枠部３２の粘着剤層３６が第一下紙部４１の表面に剥離不能に接着される（図７参照）。ここで、配送票部３１は、第一下紙部４１と非接着の状態で、介装部４３を被覆する。このように第二上紙部２２を折返線１３で折り返して第一下紙部４１と接着した配送準備状態では、図６のように、配送票部３１と明細票部２５との間に、介装部４３が介在されている。さらに、配送準備状態では、第二上紙部２２を折り重ねたことにより、初期状態に比して、平面サイズが１／２となっている。
【００３５】
こうして配送準備状態とした配送用帳票１は、配送品（商品を梱包した状態の品物）１０１に貼り付けられる。すなわち、図８のように、配送準備状態で、第一上紙部２１の剥脱部２６が、折返線１３で第二上紙部２２と切り離され、且つ切断線１８ａで明細票部２５と切り離されることによって、取り除かれる。これにより、第一下紙部４１の接着保持部４６の背面の粘着剤層４８が露出する。ここで、明細票部２５は、第一下紙部４１の介装部４３と剥離不能に接着されていることから、該第一下紙部４１に保持される。こうして接着保持部４６の粘着剤層を露出した配送用帳票１が、該粘着剤層４８により、前記配送品に剥離不能に接着される。配送品に接着された状態では、配送票部３１が露出することから、運送業者は、該配送品（商品）１０１を、該配送票部３１の送先票部３５ａに記載された配送情報に従って、送り届けることができる。一方、明細票部２５は隠蔽されていることから、運送中に外部から視認不能であり、該明細票部２５の明細情報の秘匿性が保たれる。
【００３６】
配送品（商品）１０１が送り先に届けられると、配達証部３５ｂに受領印が押印され、図９のように、運送業者により該配達証部３５ｂが切断線１９ａ，１９ｂで切り取られる。このように配達証部３５ｂが切り取られた状態では、介装部４３の一部分が露出するものの、明細票部２５は該介装部４３により覆われていることから隠蔽された状態で保たれる。一方、商品を受け取った受取人により、送先票部３５ａが切り取られると、図９（ｂ）のように、介装部４３の全域が露出することから、該介装部４３に印刷された定型情報が視認可能となる。さらに、受取人により、図９（ｃ），（ｄ）のように、介装部４３が切断線１８ａで切り取られて第一下紙部４１から分離することで、該介装部４３の背面に接着された明細票部２５も取り外される。こうして明細票部２５が取り外されることにより、該明細票部２５に記載された明細情報を、受取人が確認できる。
【００３７】
上述した本実施例１の配送用帳票１は、以下の作用効果を奏する。
（１）配送に必要な情報を印字する配送票部３１と明細票部２５とが同一面上に設けられていることから、該情報を片面プリントにより印字可能である。そのため、上述した従来構成のように両面プリントする必要がなく、該両面プリントによる問題（プリント時間の長時間化、プリンタの耐久寿命の低減など）を生じない。
（２）配送準備状態へ形態変化させて配送品１０１に貼付されることから、該配送品１０１に貼付された状態で、明細票部２５が隠蔽され、該明細票部２５の明細情報が外部から視認不能となる。さらに、配送品１０１に貼付されると、配送票部３１と明細票部２５（介装部４３）とを切り取らねば、該明細票部２５の明細情報を視認できないことから、運送中に不正に明細情報が見られた場合にはその痕跡が残る。そのため、明細情報が不正に見られることを防止できる。
（３）配送品に貼付される配送準備状態は、第二上紙部２２が折り返された状態であることから、その平面サイズが初期状態の半分となり、該配送品１０１への貼付サイズを小さくできる。そのため、発送作業の際に取扱性に優れる。
（４）配送品１０１に貼付された状態で配送票部３１が切り取られても、明細票部２５は介装部４３により覆われていることから、該明細票部２５に記載された明細情報が透けて見えてしまうことを防止できる。そのため、送り先に届けられて配送票部３１が切り取られた際に、明細情報が運送業者に知られてしまうことを可及的に抑制できる。すなわち、上記した（２）の作用効果と合わせて、明細情報の秘匿性を向上することができる。
（５）配送票部３１が切り取られると、介装部４３が露出することから、該介装部４３に広告や案内などの定型情報を印刷することによって該定型情報を受取人に報知することができる。特に、介装部４３は、明細票部２５を切り取る際に確実に受取人により視認され得ることから、定型情報を該受取人に知らせる効果が高いという利点も有する。
【実施例２】
【００３８】
実施例２の配送用帳票６１は、上述した実施例１と同様に、折返線１３を介して第一紙片部１１と第二紙片部１２とが連成されてなり、上紙２と下紙３との互いの背面同士が貼り合わされてなる（図１０参照）。そして、上紙２の第一上紙部２１と下紙３の第一下紙部４１とが貼り合わされて第一紙片部１１が構成され、上紙２の第二上紙部２２と下紙３の第二下紙部４２とが貼り合わされて第二紙片部１２が構成されている（図１２，１３参照）。こうした上紙２、下紙３、第一紙片部１１、第二紙片部１２、第一上紙部２１、第二上紙部２２、第一下紙部４１、および第二下紙部４２の構成は、実施例１と同じである。実施例２にあって、実施例１と同じ構成要素には同じ符号を記し、その説明を適宜省略している。
【００３９】
実施例２にあって、図１０，１２のように、上紙２の第一上紙部２１は、ミシン目からなる切断線１８ｂにより囲繞された明細票部２５と、該明細票部２５を囲む略ロ字形の明細外枠部６５と、該明細外枠部６５を囲む略ロ字形の剥脱部６６とから構成されている。そして、明細外枠部６５は、ハーフカット線からなる切断線１９ｃにより囲繞されている。明細票部２５と明細外枠部６５とは、前記切断線１８ｂにより区画されており、該明細外枠部６５と剥脱部６６とは、前記切断線１９ｃにより区画されている。これにより、明細票部２５と明細外枠部６５とは、切断線１８ｂを切断することによって分離可能であり、該明細外枠部６５と剥脱部６６とは、切断線１９ｃを切断することによって分離可能である。また、明細票部２５と明細外枠部６５との背面には、図１１（ａ）のように、剥離可能に接着できる所定の擬似接着剤を塗布してなる擬似接着剤層６８が設けられており、剥脱部６６の背面には、上述した所定の離型剤を塗布してなる剥離層６７が設けられている。尚、明細票部２５の表面には、上述した実施例１と同様に、明細情報を印字する明細印字欄が設けられている。
【００４０】
第二上紙部２２は、上述した実施例１と同様に、配送票部３１と表枠部３２とから構成され、図１０，１２のように、該配送票部３１と表枠部３２とが、両者を区画する切断線１９ａを切断することによって分離可能となっている。そして、配送票部３１は、切断線１９ｂを介して区画された送先票部３５ａと配達証部３５ｂとにより構成されている。ここで、配送票部３１は、上記した明細外枠部６５を囲繞した切断線１９ｃにより囲まれた部位（明細票部２５と明細外枠部６５とからなる部位）よりも面積サイズが大きく、さらに、上紙２を折返線１３で折り返すことで第一上紙部２１と第二上紙部２２とを重ね合わせた場合に、明細票部２５と明細外枠部６５とを覆い、且つ後述する第二下紙部４２の被覆部８１を覆うように設けられている（図１６参照）。また、表枠部３２の背面には、図１１（ａ）のように、粘着剤層３６が設けられており、配送票部３１の背面には、上記の擬似接着剤を塗布してなる擬似接着剤層６９が設けられている。
【００４１】
実施例２にあって、下紙３の第一下紙部４１は、上述した実施例１と同様に、介装部７３と接着保持部７６とから構成されており、図１０，１３のように、該介装部７３と接着保持部７６とが、ハーフカット線からなる切断線１９ｄにより区画され、該切断線１９ｄを切断することよって分離可能となっている。ここで、本実施例２の介装部７３は、上記した明細票部２５よりも面積サイズが大きく、且つ上記の明細外枠部６５を囲繞した切断線１９ｃにより囲まれた部位（明細票部２５と明細外枠部６５とからなる部位）よりも面積サイズが小さい。そして、介装部７３は、第一下紙部４１と第一上紙部２１とを貼り合わせた状態で、明細票部２５を覆い且つ明細外枠部６５の外周縁部が外方へはみ出るように設けられている（図１６参照）。また、介装部７３の背面には、図１１（ｂ）のように、上記の擬似接着剤を塗布してなる擬似接着剤層７４が設けられ、接着保持部７６の背面には、上記の粘着剤を塗布してなる粘着剤層７７が設けられている。尚、本実施例２にあって、介装部７３には、その表面と背面とに、広告、案内、クーポンなどの定型情報が夫々印刷される。
【００４２】
第二下紙部４２は、図１０，１３のように、ミシン目からなる切断線１８ｃにより囲繞された被覆部８１と、該被覆部８１を囲む略ロ字形の帯状枠部８２と、該帯状枠部８２を囲む略ロ字形の除脱部８３とから構成されている。そして、帯状枠部８２は、ハーフカット線からなる切断線１９ｅにより囲繞されている。被覆部８１と帯状枠部８２とは、前記切断線１８ｃを介して区画され、該切断線１８ｃを切断することによって分離可能となっている。帯状枠部８２と除脱部８３とは、前記切断線１９ｅを介して区画され、該切断線１９ｅを切断することよって分離可能となっている。ここで、被覆部８１は、上記した配送票部３１よりも面積サイズが小さく、さらに、第二下紙部４２と第二上紙部２２とを貼り合わせた状態で、該配送票部３１により覆われるように設けられている。そして、この被覆部８１は、上記の介装部７３よりも面積サイズが大きく、さらに、下紙３を折返線１３で折り返すことで第二下紙部４２と第一下紙部４１とを重ね合わせた場合に、該介装部７３を覆うように設けられている（図１６参照）。一方、帯状枠部８２を囲繞した切断線１９ｅにより囲まれた部位（被覆部８１と帯状枠部８２とからなる部位）は、配送票部３１よりも面積サイズが大きく、さらに、第二下紙部４２と第二上紙部２２とを貼り合わせた状態で、帯状枠部８２の外周縁部が配送票部３１の外方にはみ出るように設けられている（図１６参照）。また、除脱部８３の背面には、図１１（ｂ）のように、上記の離型剤を塗布してなる剥離層８６が設けられている。さらに、帯状枠部８２を囲繞する切断線１９ｅにより囲まれた部位の背面には、配送票部３１と貼り合わされる領域に、上記の擬似接着剤を塗布してなる擬似接着剤層８７が設けられ、当該領域を除く該帯状枠部８２の外周縁部に、上記の粘着剤を塗布してなる粘着剤層８８が設けられている。尚、被覆部８１には、その表面と背面とに、広告、案内、クーポンなどの定型情報が夫々印刷され、該定型情報を商品の受取人に知らせる報知機能を有している。
【００４３】
本実施例２の配送用帳票６１は、上述したように上紙２と下紙３とが貼り合わされてなる（図１２，１３参照）。ここで、第一上紙部２１と第一下紙部４１とにあっては、明細票部２５の擬似接着剤層６８が介装部７３の擬似接着剤層７４に剥離可能に擬似接着され、明細外枠部６５の外周縁部が接着保持部７６の粘着剤層７７に接着され、剥脱部６６の剥離層６７が接着保持部７６の粘着剤層７７に剥離可能に接着されている。そして、介装部７３は、明細票部２５と、明細外枠部６５の、外周縁部を除く内周縁部とに、剥離可能に擬似接着される。尚、明細外枠部６５の外周縁部は、前記のように接着保持部７６の粘着剤層７７に接着されることから、該接着保持部４６と接着する接着代となっている。一方、第二上紙部２２と第二下紙部４２とにあっては、被覆部８１の擬似接着剤層８７が配送票部３１の擬似接着剤層６９に剥離可能に擬似接着され、帯状枠部８２の外周縁部の粘着剤層８８が表枠部３２の粘着剤層３６に剥離不能に接着され、除脱部８３の剥離層８６が表枠部３２の粘着剤層３６に剥離可能に接着されている。そして、配送票部３１は、被覆部８１と、帯状枠部８２の、外周縁部を除く内周縁部とに、剥離可能に擬似接着される。尚、帯状枠部８２の外周縁部は、前記のように表枠部３２に接着されることから、該表枠部３２と接着する接着代となっている。
【００４４】
本実施例２にあって、明細票部２５の擬似接着剤層６８と介装部７３の擬似接着剤層７４とにより、本発明にかかる貼着層が構成されており、接着保持部７６の粘着剤層７７により、本発明にかかる第一下紙部の接着剤層が構成されている。また、第二上紙部２２の表枠部３２の粘着剤層３６により、本発明にかかる第二上紙部の接着剤層が構成されており、被覆部８１の擬似接着剤層８７と配送票部３１の擬似接着剤層６９とにより、本発明にかかる被覆部と配送票部とを剥離可能に接着される接着剤層が構成されている。
【００４５】
次に、上述した実施例２の配送用帳票６１の使用方法について説明する。
配送用帳票６１は、上述した実施例１と同様に、その製造工程で、介装部７３の表面と背面、および被覆部８１の表面と背面に、広告や案内などの定型情報が印刷される。さらに、本実施例２では、明細票部２５の背面にも定型情報が印刷される。本実施例２の配送用帳票６１では、五個の紙面に定型情報が印刷され（図１０，１１参照）、上述した実施例１よりも多くの定型情報を提供できる。この配送用帳票６１が使用される際には、その上面の配送票部３１（送先票部３５ａおよび配達証部３５ｂ）と明細票部２５とに、配送に必要な夫々の配送情報や明細情報が印字される。
【００４６】
配送情報や明細情報が印字されると、配送用帳票６１は、図１４のように、第二下紙部４２の除脱部８３が、切断線１９ｅで帯状枠部８２（および被覆部８１）と切り離されると共に、折返線１３で第一下紙部４１と切り離されることにより、第二上紙部２２の表枠部３２から剥離されて取り除かれる。これにより、第二上紙部２２の表枠部３２の粘着剤層３６が露出すると共に、被覆部８１および帯状枠部８２が第二上紙部２２に接着されたまま保持される。尚ここで、帯状枠部８２を囲繞する切断線１９ｅは、ハーフカット線からなることから、被覆部８１を囲繞するミシン目の切断線１８ｃに比して切断し易いため、該除脱部８３が切り離される際に、該切断線１８ｃが誤って切断されてしまうことを抑制でき、該除脱部８３を安定して切り離すことができる。
【００４７】
そして、被覆部８１と帯状枠部８２とを保持した第二上紙部２２が、該被覆部８１と介装部７３とを重ねるように、折返線１３で折り返される。これにより、第二上紙部２２の表枠部３２の粘着剤層３６が第一下紙部４１の表面に剥離不能に接着される。ここで、被覆部８１は、その表面が介装部７３の表面と重なり合うことから、該介装部７３を非接着で被覆する。このように折返線１３で折り返した配送準備状態では、図１５，１６のように、配送票部３１と明細票部２５との間に、被覆部８１と介装部７３とが介在されている。
【００４８】
配送準備状態に形態変化されると、図１７のように、第一上紙部２１の剥脱部６６が、切断線１９ｃで明細外枠部６５（および明細票部２５）と切り離されると共に、折返線１３で第二上紙部２２と切り離されることにより、第一下紙部４１の接着保持部７６から剥離されて取り除かれる。これにより、第一下紙部４１の接着保持部７６の背面の粘着剤層７７が露出すると共に、明細要部２５および明細外枠部６５が第一下紙部４１に接着されたまま保持される。尚ここで、ハーフカット線の切断線１９ｃがミシン目の切断線１８ｂよりも切断し易いことから、剥脱部６６を切り離す際に、該剥脱部６６を安定かつ容易に切り離すことができる。
【００４９】
そして、剥脱部６６が取り除かれると、配送用帳票６１は、第一下紙部４１の接着保持部７６の背面の粘着剤層７７により、配送品１０１に剥離不能に貼り付けられる。このように貼り付けた状態では、配送票部３１が露出し、明細票部２５が隠蔽される。
【００５０】
配送品１０１が送り先に届けられると、受領印が押印された配達証部３５ｂが運送業者により切り取られる。配達証部３５ｂが切り取られた状態では、被覆部８１の背面の一部分が露出するものの、明細票部２５は、該被覆部８１と介装部７３とにより覆われていることから隠蔽された状態で保たれる。一方、受取人により送先票部３５ａが切り取られると、図１８（ｂ）のように、被覆部８１の背面全域が露出することから、該被覆部８１の背面に印刷された定型情報が視認可能となる。さらに、受取人により被覆部８１が切断線１８ｃで切り取られると、介装部７３の表面が露出することから、該介装部７３の表面に印刷された定型情報を視認可能となる。ここで、被覆部８１は配送票部３１よりも面積サイズが小さいことから、配送票部３１を取り除いた状態で、該被覆部８１を囲繞する切断線１８ｃも露出している。さらに、被覆部８１は、帯状枠部８２を介して表枠部３２に保持されている。こうしたことから、被覆部８１を囲繞する切断線１８ｃを切断し易く、該被覆部８１を安定かつ容易に切り取ることができる（図１８（ｃ）、（ｄ）参照）。また、切り取られた被覆部８１は、その表面も視認可能となることから、当該表面に印刷された定型情報を受取人に報知できる。
次に、介装部７３が、図１９（ａ）のように切断線１９ｄで切断されて明細票部２５から剥離されることによって切り取られると、図１９（ｂ）のように該明細票部２５の背面が露出することから、該明細票部２５の背面に印刷された定型情報を視認可能となる。ここで、介装部７３を切り取っても、明細票部２５は、明細外枠部６５を介して接着保持部７６に保持される。また、切り取られた介装部７３は、その背面も視認可能となることから、当該背面に印刷された定型情報を受取人に報知できる。
次に、明細票部２５が、図１９（ｃ）のように、切断線１８ｂで切断されて明細外枠部６５と分離されることによって切り取られる。これにより、図１９（ｄ）のように、明細票部２５に記載された明細情報を、受取人が確認できる。ここで、明細票部２５は、接着保持部７６に接着された明細外枠部６５に連成されている。そのため、切断線１８ｂを安定かつ容易に切断することができる。
【００５１】
上述した本実施例２の配送用帳票６１は、上述した実施例１と同様の作用効果を発揮することに加えて、さらに以下の作用効果を奏する。
（１）配送品１０１に貼付された状態で配送票部３１が切り取られても、明細票部２５は介装部７３と被覆部８１とにより覆われていることから、該明細票部２５に記載された明細情報が透けて見えてしまうことを防止できる。そのため、送り先に届けられて配送票部３１が切り取られた際に、明細情報が運送業者に知られてしまうことを可及的に抑制できる。したがって、明細情報の秘匿性を一層向上できる。
（２）配送票部３１、被覆部８１、介装部７３、および明細票部２５は、夫々の面積サイズが序々に小さくなっていることから、順次切り取っていく際に、夫々を容易かつ安定して取り外すことができる。さらに、配送品１０１に貼付された状態で、被覆部８１が帯状枠部８２を介して表枠部３２に保持され、明細票部２５が明細外枠部６５を介して接着保持部４６に保持されていることから、該被覆部８１や明細票部２５を安定かつ容易に切り取ることができる。
（３）被覆部８１の表面と背面、介装部４３の表面と背面、明細票部２５の背面に、広告や案内などの定型情報を印刷することにより、該定型情報を受取人に報知できる。このように定型情報を印刷する部位が比較的多いことから、様々な定型情報を印刷でき、かつ該定型情報を受取人に知らせる効果も高い。
【００５２】
本発明にあっては、上述した実施例に限定されるものではなく、上述の実施例以外の構成についても本発明の趣旨の範囲内で適宜変更して実施可能である。
例えば、上述した実施例１の別例の配送用帳票９１を、図２０，２１に示す。この別例の配送用帳票９１は、上紙２の第一上紙部２１が、上述した実施例２と同様に、ミシン目からなる切断線１８ａにより囲繞された明細票部２５と、該明細票部２５を囲む略ロ字形の明細外枠部９５と、該明細外枠部９５を囲む略ロ字形の剥脱部９６とから構成されている。そして、明細外枠部９５は、ハーフカット線からなる切断線１９ｆにより囲繞されている。かかる構成にあって、明細票部２５と明細外枠部９５とは、前記切断線１８ａを切断することで分離可能であり、該明細外枠部９５と剥脱部９６とは、前記切断線１９ｆを切断することで分離可能である。また、剥脱部９６の背面には、上述した所定の離型剤を塗布してなる剥離層９７が設けられており、明細票部２５と明細外枠部９５との背面には、離型剤や粘着剤などが塗布されていない。この配送用帳票８１では、第一上紙部２１と第一下紙部４１とにあって、剥脱部９６と該第一下紙部４１の接着保持部４６とが剥離可能に接着され、明細外枠部９５と該接着保持部４６とが剥離不能に接着され、明細票部２５と介装部４３とが剥離不能に接着されている。尚、この別例の構成は、前記のように第一上紙部２１に明細外枠部９５を備えた以外は上述した実施例１と同じであることから、その説明は省略する。
こうした別例の配送用帳票９１は、実施例１と同様に、配送準備状態に形態変化される（図２１）。この配送準備状態で、第一上紙部２１の剥脱部９６が、切断線１９ｆで明細外枠部９５（および明細票部２５）と切り離されると共に、折返線１３で第二上紙部２２と切り離されることにより、取り除かれる。ここで、ハーフカット線の切断線１９ｆがミシン目の切断線１８ａよりも切断し易いこと、および明細外枠部９５の背面が第一下紙部４１の接着保持部４６の背面の粘着剤層４８と接着されていることから、剥脱部９６を切り離す際に、該剥脱部９６を安定かつ容易に切り離すことができる。このように剥脱部９６を取り除いた後には、上述した実施例１と同様に、配送品１０１に貼り付けられる。そして、送り先で、介装部４３と一緒に明細票２５が取り外される。かかる別例の構成にあっても、上述した実施例１と同様の作用効果を奏する。
【００５３】
また、上述した別例の他にも、例えば、実施例１の第一紙片部と実施例２の第二紙片部と備えた構成や、実施例１の第二紙片部と実施例２の第一紙片部とを備えた構成としても良い。また、上述した実施例２の構成にあって、配送票部と被覆部とを同じ面積サイズとしたり、介装部と明細票部とを同じ面積サイズとすることも可能である。
【符号の説明】
【００５４】
１，６１，９１  配送用帳票
１１  第一紙片部
１２  第二紙片部
１３  折返線
１８ａ〜１８ｃ，１９ａ〜１９ｆ  切断線
２１  第一上紙部
２２  第二上紙部
２５  明細票部
２６，６６，９６  剥脱部
３１  配送票部
３２  表枠部
４１  第一下紙部
４２  第二下紙部
４３，７３  介装部
４６，７６  接着保持部
６５，９５  明細外枠部
８１  被覆層
８２  帯状枠部
８３  除脱部
【図１】
0006574371.tif 000002
【図２】
0006574371.tif 000003
【図３】
0006574371.tif 000004
【図４】
0006574371.tif 000005
【図５】
0006574371.tif 000006
【図６】
0006574371.tif 000007
【図７】
0006574371.tif 000008
【図８】
0006574371.tif 000009
【図９】
0006574371.tif 000010
【図１０】
0006574371.tif 000011
【図１１】
0006574371.tif 000012
【図１２】
0006574371.tif 000013
【図１３】
0006574371.tif 000014
【図１４】
0006574371.tif 000015
【図１５】
0006574371.tif 000016
【図１６】
0006574371.tif 000017
【図１７】
0006574371.tif 000018
【図１８】
0006574371.tif 000019
【図１９】
0006574371.tif 000020
【図２０】
0006574371.tif 000021
【図２１】
0006574371.tif 000022